(57)【要約】【課題】ノートＰＣの携帯性を損なうことなく、また、利便性に優れた電子機器を提供することを目的とする。【解決手段】ユニット１０にはＣＰＵ２０等が実装されている回路基板３２が内蔵される。挿入口１３に連なって用紙ガイド３７ａ，３７ｂが設けられており、挿入口１３より挿入された用紙をユニット１０内部へ搬送するローラ３３ａ，３３ｂおよび３４ａ，３４ｂが設けられている。一対のローラ３３ａ，３３ｂと一対のローラ３４ａ，３４ｂとの間には挿入された用紙からデータをスキャンするスキャナヘッドおよび用紙への印刷を行う印刷ヘッドとが一体に形成されたヘッド２３がロッド３５上を一対のガイド３７ａ，３７ｂ間方向に滑動可能に設けられている。これらローラ３３ａ，３３ｂ、３４ａ，３４ｂ及びヘッド２３の回転及び滑動を駆動するモータ機構２５がユニット１０内部には内蔵されている【選択図】  図５
2005020391.tif 000002
【特許請求の範囲】
【請求項１】
収容部を有する本体と、
上記収容部に着脱可能に取り付けられるとともに、用紙が挿入あるいは排出される挿入口と、上記挿入口から挿入された用紙の搬送を行う内部機構と有するユニットと、を具備し、
上記内部機構は、
上記挿入口を介して挿入された用紙を内部への搬送及び挿入口から外部への排出を行うローラと、
上記挿入口を介して挿入された用紙からデータをスキャンするヘッドと、
上記ローラと上記ヘッドとの移動を行う駆動部と、を具備することを特徴とする電子機器。
【請求項２】
上記ヘッドには用紙への印刷を行う印刷ヘッドが設けられていることを特徴とする請求項１記載の電子機器。
【請求項３】
上記ユニットには上記内部機構を露出する開口部が形成され、この開口部を開閉可能に覆うカバーが設けられていることを特徴とする請求項１記載の電子機器。
【請求項４】
収容部を有する本体と、
上記収容部に着脱可能に取り付けられるとともに、用紙が挿入あるいは排出される挿入口と、上記挿入口から挿入された用紙の搬送を行う内部機構と有するユニットと、を具備し、
上記内部機構は、
上記挿入口を介して挿入された用紙を内部への搬送及び挿入口から外部への排出を行うローラと、
上記挿入口を介して挿入された用紙からデータをスキャンおよび上記挿入庚を介して挿入された用紙へ印刷するヘッドと、
上記ローラと上記ヘッドとの移動を行う駆動部と、を具備することを特徴とする電子機器。
【発明の詳細な説明】
【０００１】
【発明の属する技術分野】
本発明は、本発明は、例えばノート型のパーソナル・コンピュータ（以下、ノートＰＣという）等の電子機器に関し、特にスキャナ／プリンター機能を有した電子機器に関する。
【０００２】
【従来の技術】
ノート型パソコンには、ユーザが自由に機能変更するための所謂セレクタブルベイと呼ばれるユニット収容部を持つものが存在する。このセレクタブルベイには、フロッピーディスクドライブユニット（以下ＦＤＤユニット）、ハードディスクドライブユニット（以下ＨＤＤユニット）、光ディスクドライブユニット（以下ＯＤＤユニット）等の複数のユニットのうちユーザの好みに応じて、どれか１つのユニットを装着することが可能となっている。（特許文献１参照）
【０００３】
また、近年ペーパーレス化が浸透し、企業内においてもなるべく紙書類を電子化する動きがある。ノートＰＣにて紙書類を電子化するためにはスキャナ装置等をノートＰＣに接続して、スキャナを介して電子化する方法が一般的である。中にはノートＰＣとスキャナ装置とをケーブルレスで夫々のコネクタを直接接続することで、スキャナ機能をノートＰＣの一機能として使用可能なものもある。（特許文献２）
【０００４】
【特許文献１】
特開平９−８１２７１号公報（図２３）
【０００５】
【特許文献２】
特開平１１−２８２５７１号公報（図１）
【０００６】
【発明が解決しようとする課題】
特許文献１は単に収容部に複数のうちの１つのユニットが選択的に収容される点が開示されているのみであり、ペーパーレス化のための解決手段とはいえない。
【０００７】
特許文献２はスキャナ機能をノートＰＣの１機能として容易にスキャナ機能を利用することが可能であるが、携帯性には好ましくない。
【０００８】
本発明は上述した事情にもとづいてなされたもので、携帯性を損なうことなく、容易にスキャナ機能を使用できる電子機器の提供を目的とする。
【０００９】
【課題を解決するための手段】
上記目的を達成するために、請求項１に係る電子機器は、収容部を有する本体と、収容部に着脱可能に取り付けられるとともに、用紙が挿入あるいは排出される挿入口と、挿入口から挿入された用紙の搬送を行う内部機構と有するユニットと、を具備し、内部機構は、挿入口を介して挿入された用紙を内部への搬送及び挿入口から外部への排出を行うローラと、挿入口を介して挿入された用紙からデータをスキャンするヘッドと、ローラとヘッドとの移動を行う駆動部と、を具備することを特徴とする。
【００１０】
このような構成により、ノートＰＣの携帯性を損なうことなく、また、利便性に優れた電子機器を提供ことが可能となる。
【００１１】
【発明の実施の形態】
以下本発明に係る実施の形態を、ノートＰＣに適用して、図面を参照して説明する。図１は、電子機器の斜視図である。
【００１２】
図１に示すようにノートＰＣ１は本体２を有している。本体２にはヒンジ部３を介して表示部４が回動可能に接続されている。本体２の上面にはキーボード５が設けられている。本体２の側面６には複数のユニットの内の１つのユニットが選択的に収容可能な収容部７が設けられている。収容部７にはプリンタ／スキャナユニット１０、ＯＤＤ１１、ＦＤＤ、ＨＤＤ、セカンドＨＤＤ、セカンドバッテリの内の１つが選択的に収容可能であり、図１には代表して、プリンタ／スキャナユニット１０とＯＤＤ１１とが図示されている。
図２は、プリンタ／スキャナユニットの斜視図である。図３は、プリンタ／スキャナユニットのカバーを開けた状態を示す図である。
【００１３】
図２に示すようにプリンタ／スキャナユニット１０の前面１２は、プリンタ／スキャナユニット１０が収容部７に収容された際、側面６に露出される。前面１２には読取り帳票あるいは印刷用用紙を挿入／排出するための挿入口１３が設けられている。プリンタ／スキャナユニット１０の上面１４には後述する内部機構を露出するメンテナンス用の開口部１４ａが設けられており、こｐの開口部１４ａを開閉可能に覆うカバー１５が設けられている。プリンタ／スキャナユニット１０の後部には本体１と接続するためのコネクタ１６が設けられている。図３に示すようにカバー１４は開閉可能に形成されている。カバー１４を開くことで後述する内部機構のメンテナンス等を行うことが可能である。
【００１４】
図４は、プリンタ／スキャナユニットのブロック図である。本体１の内部バスにはＵＳＢコントローラ３１が接続されている。収容部７にはコネクタ３０が設けられ、このコネクタ３０はＵＳＢコントローラ３１に接続されている。コネクタ３０は、収容部７にプリンタ／スキャナユニット１０が収容された際、コネクタ１６に接続される。プリンタ／スキャナユニット１０には、本体１からの各種機能設定及び、タスク単位でのプリント及びスキャニングを指示するＣＰＵ２０が設けられており、データ保存、バッファとして機能するＲＯＭ２７、ＲＡＭ２８がＣＰＵ２０に接続されている。ＣＰＵ２０にはプリンタ／スキャナ機能をコントロールするコントローラ２１が接続されている。コントローラ２１にはＵＳＢコントローラ２２が接続されており、このＵＳＢコントローラ２２はコネクタ２６に接続されている。コントローラ２２には印刷／データスキャンを行うヘッド２３が電気的に接続されている。同様にコントローラ２１にはモータドライバ２４が接続されている。更にモータドライバ２４にはヘッド２３の移動及び後述するローラの回転駆動を行うモータ２５が接続されている。更にコントローラ２１にはユニット１０内での用紙の位置を検出するセンサ２６が接続されている。コントローラ２１はＵＳＢコントローラ３１，２２及びＣＰＵ２０からの指示に基づき、モータ２５を駆動制御することでヘッド２３及びローラを駆動制御し、印刷またはデータスキャンを可能としている。
【００１５】
図５は、プリンタ／スキャナユニットの内部機構を説明する図である。図５に示すように、ユニット１０にはＣＰＵ２０、コントローラ２１，２２、ＲＯＭ２７，ＲＡＭ２８等が実装されている回路基板３２が内蔵されている。
【００１６】
さらにユニット１０には、挿入口１３に連なって、用紙をガイドする一対の用紙ガイド３７ａ，３７ｂが設けられている。このガイドレール３７ａ，３７ｂと直交するように、挿入口１３付近には挿入口１３より挿入された用紙をユニット１０内部へ搬送するローラ３３ａ，３３ｂが設けられている。また、この一対のローラ３３ａ，３３ｂと平行に、ユニット内部に挿入された用紙を排出する一対のローラ３４ａ，３４ｂが設けられている。一対のローラ３４ａ，３４ｂの内の一方のローラ３４ａは用紙との摩擦を大きくするために径方のローラに比べ大きく形成されている。
【００１７】
一対のローラ３３ａ，３３ｂと一対のローラ３４ａ，３４ｂとの間には挿入された用紙からデータをスキャンするスキャナヘッドおよび用紙への印刷を行う印刷ヘッドとが一体に形成されたヘッド２３がロッド３５上を一対のガイド３７ａ，３７ｂ間方向に滑動可能に設けられている。また、これらローラ３３ａ，３３ｂ、３４ａ，３４ｂ及びヘッド２３の回転及び滑動を駆動するモータ機構２５がユニット１０内部には内蔵されている。
【００１８】
次に、プリンタ／スキャナ機能の内のスキャナ動作について以下に説明する。図６は、帳票が挿入される状態を示した図である。
【００１９】
図６に示すようにセンサ３９が挿入口１３近傍に設けられている。例えば名刺等の用紙が挿入口１３よりユニット１０内へ挿入される。センサ３９が用紙の先端を検知すると、前述したプリンタ／スキャナコントローラ２１へ信号を出し、コントローラ２１はモータ２５を駆動する。モータ２５によりローラ３３ａ，３３ｂを図中矢印方向に夫々回転させることで用紙の先端をキャッチし、用紙をユニット１０内部へ搬送する。用紙はガイド３７に沿って内部へ搬送される。
【００２０】
図７は、帳票が内部機構に送り込まれた状態を示す図である。図８は、帳票がヘッドにより読取られている状態を示す図である。図９は、帳票を排出している状態を示す図である。
【００２１】
図７に示す量に一度用紙はローラ３４ａ，３４ｂにより最奥まで搬送される。最奥まで搬送される。図８に示すように、ローラ３４ａ，３４ｂは逆回転することで用紙をヘッド２３方向へ搬送する。ヘッド２３は用紙がヘッド２３下方を通過するに応じて用紙のデータをスキャンする。
【００２２】
図９に示すように、順次スキャンされた用紙の先端はローラ３３ａ，３４ｂにキャッチされ、挿入口１３方向に排出される。ローラ３３ａ，３３ｂは用紙の後端センサ３９により検出されるまで用紙を挿入口１３方向へ排出駆動する。
【００２３】
このように、プリンタ／スキャナユニット１０を収容部７に収容した状態で用紙を挿入することが可能である。印刷する場合も下動作と同様に一度用紙を挿入させ、排出方向へ搬送される際に印刷するようにすれば良い。
【００２４】
上述した実施例においては、プリンタ／スキャナユニット１０を本体１に収容した状態で印刷／スキャン処理を行うことが出来るためノートＰＣの携帯性を損なうことなく、また、利便性に優れたものである。
【００２５】
本実施の形態においてはセレクトベイである収容部にユニットとして着脱可能に収容できるようにしたが、内部機能として本体１内部予め内蔵される構造としても良い。
【００２６】
本発明ではその主旨を逸脱しない範囲であれば、の実施形態に限定されるものではない。そして、ナビゲーション装置、デジタルカメラ、デジタルビデオカメラ、電子手帳等の電子機器に広く適用できるものである。
【００２７】
【発明の効果】
以上詳述した発明によれば、ノートＰＣの携帯性を損なうことなく、また、利便性に優れた電子機器を提供することが可能である。
【図面の簡単な説明】
【図１】電子機器の斜視図。
【図２】プリンタ／スキャナユニットの斜視図。
【図３】プリンタ／スキャナユニットのカバーを開けた状態を示す図。
【図４】プリンタ／スキャナユニットのブロック図。
【図５】プリンタ／スキャナユニットの内部機構を説明する図
【図６】帳票が挿入される状態を示した図。
【図７】帳票が内部機構に送り込まれた状態を示す図。
【図８】帳票がヘッドにより読取られている状態を示す図。
【図９】帳票を排出している状態を示す図。
【符号の説明】
１・・・ノートＰＣ、２・・・本体、３・・・ヒンジ部、４・・・表示部、５・・・キーボード、６・・・側面、７・・・収容部、１０・・・プリンタ／スキャナユニット、１３・・・挿入口、１５・・・カバー、２３・・・ヘッド、２５・・・モータ、３３ａ，３３ｂ、３４ａ，３４ｂ・・・ローラ、３７ａ，３７ｂ・・・ガイドレール、３９・・・センサ
【図１】
2005020391.tif 000003
【図２】
2005020391.tif 000004
【図３】
2005020391.tif 000005
【図４】
2005020391.tif 000006
【図５】
2005020391.tif 000007
【図６】
2005020391.tif 000008
【図７】
2005020391.tif 000009
【図８】
2005020391.tif 000010
【図９】
2005020391.tif 000011